(57)【特許請求の範囲】
【請求項１】
内部で室18を画成し、前記室18への上方開口20を有するハウジング12と、前記ハウジング開口20にまたがるカバー24と、前記室18を通る液体流れ通路内に位置した入り口および出口ポート30、17と、可撓性形状を保持するバックリング52によって画成される前記開口20を有し、液体をろ過するためのフィルターバッグ48とを備え、前記バックリング52は前記フィルターバッグ48の側壁50に接続される液体フィルターであって、
前記ハウジング12は、該ハウジング12の周囲に延びる平らな支持部22を含み、
前記バッグリング52は、液体を通すことなく、輪状ビード56を保持する外向き輪状フランジ54を含み、
前記バッグリング52は、前記室18内に位置し、前記ハウジング支持部22と前記カバー24間に位置した前記フランジ54を有し、
前記カバー24は、前記ハウジング支持部22に対して前記ビード56を圧縮し、
前記ビード56は、前記カバー24と前記ハウジング開口20の周囲のハウジング間で液体シールを形成するとともに、
開口を有する網目状のバスケット62を内部に備え、該バスケット62は、前記室18内にはめ合わされ、前記ハウジング支持部22に接触しその上にあり、
前記バックリング52は、前記バスケット62内に延び、且つ、前記バスケット開口の周囲の前記バスケット62上で該バスケット62と接触する前記フランジ54を有し、
また前記バスケット62は、前記ハウジング支持部22に接触する外向きフランジ64を含み、前記輪状フランジ54は、前記バスケットフランジ64に接触するとともに、
前記輪状フランジ54は、前記ビード56から内方にある距離離れた輪状リブ58を含み、さらに前記輪状フランジ54は、前記ビード56の内方に位置した第２の輪状ビード56を含み、前記ビード56と前記第２のビード56とは、前記カバー24と前記ハウジング支持部22間に位置するとともに前記カバー24と前記ハウジング支持部22に接触し、前記輪状リブ58は、前記バスケットフランジ64に接触し、それにより該バスケットフランジ64が前記ハウジング支持部22に対して圧力を加え、前記バスケット６２が前記ハウジング12内に支承されることを特徴とする液体フィルター。
【請求項２】
前記カバー24は、前記ハウジング12に接触する請求項１に記載の液体フィルター。
【請求項３】
前記カバー24は、前記バッグリング52の外方の前記ハウジング支持部22で前記ハウジング12と接触する請求項２に記載の液体フィルター。
【発明の詳細な説明】
【０００１】
【発明の属する技術分野】
本発明は、液体フィルターに関する。
【０００２】
【従来の技術】
従来、液体フィルターにおいては、カバーとハウジング間のシールを形成するためにカバーが液体シール部を有していた。
【０００３】
【発明が解決しようとする課題】
ところで、上述のカバーが液体シール部を有する構成は、構成が複雑になっていた。
【０００４】
本発明は上記実状に鑑み、内部でフィルターバックがカバーとフィルターハウジング間の唯一の液体シールを供給する液体フィルターの提供を目的とする。
【０００５】
また、この発明の別の目的は、液体シール部を有しないカバーをもつ液体フィルターを提供することである。
【０００６】
【課題を解決するための手段】
上記目的を達成するべく、本発明の請求項１に関わる液体フィルターは、内部で室18を画成し、前記室18への上方開口20を有するハウジング12と、前記ハウジング開口20にまたがるカバー24と、前記室18を通る液体流れ通路内に位置した入り口および出口ポート30、17と、可撓性形状を保持するバックリング52によって画成される前記開口20を有し、液体をろ過するためのフィルターバッグ48とを備え、前記バックリング52は前記フィルターバッグ48の側壁50に接続される液体フィルターであって、前記ハウジング12は、該ハウジング12の周囲に延びる平らな支持部22を含み、前記バッグリング52は、液体を通すことなく、輪状ビード56を保持する外向き輪状フランジ54を含み、前記バッグリング52は、前記室18内に位置し、前記ハウジング支持部22と前記カバー24間に位置した前記フランジ54を有し、前記カバー24は、前記ハウジング支持部22に対して前記ビード56を圧縮し、前記ビード56は、前記カバー24と前記ハウジング開口20の周囲のハウジング間で液体シールを形成するとともに、開口を有する網目状のバスケット62を内部に備え、該バスケット62は、前記室18内にはめ合わされ、前記ハウジング支持部22に接触しその上にあり、前記バックリング52は、前記バスケット62内に延び、且つ、前記バスケット開口の周囲の前記バスケット62上で該バスケット62と接触する前記フランジ54を有し、また前記バスケット62は、前記ハウジング支持部22に接触する外向きフランジ64を含み、前記輪状フランジ54は、前記バスケットフランジ64に接触するとともに、前記輪状フランジ54は、前記ビード56から内方にある距離離れた輪状リブ58を含み、さらに前記輪状フランジ54は、前記ビード56の内方に位置した第２の輪状ビード56を含み、前記ビード56と前記第２のビード56とは、前記カバー24と前記ハウジング支持部22間に位置するとともに前記カバー24と前記ハウジング支持部22に接触し、前記輪状リブ58は、前記バスケットフランジ64に接触し、それにより該バスケットフランジ６４が前記ハウジング支持部22に対して圧力を加え、前記バスケット62が前記ハウジング12内に支承されることを特徴とする。
【０００８】
本発明の請求項２に関わる液体フィルターは、請求項１に記載の液体フィルターにおいて、前記カバー24は前記ハウジング12に接触することを特徴としている。
【０００９】
本発明の請求項３に関わる液体フィルターは、請求項２に記載の液体フィルターにおいて、前記カバー24は、前記バッグリング52の外方の前記ハウジング支持部22で前記ハウジング12と接触することを特徴としている。
【００１３】
【発明の実施の形態】
これは、２００１年２月８日に出願された米国仮出願、シリアルナンバー60/267,503の継続出願である。
【００１４】
本発明は、液体フィルターに関し、フィルターバックによりフィルターハウジングへシールされるカバーを内部にもつフィルターに関しての特別な応用を有する。
【００１５】
発明の要約
この発明において、フィルターバックは可撓性形状に保持される縁部すなわちリングによって画成される開口を具える。縁部は液体を通さず、ビードを含む。フィルターバックは、通常、フィルターハウジング内に吊るされたバスケット内に支持される。バック縁部は、ビードを保持するとともにカバーとフィルターハウジング間に位置する外向きフランジを含んでおり、該外向きフランジはバスケット上にある。カバーはフィルターハウジングに対してビードを圧縮してカバーとハウジング間のシールを形成する。
【００１６】
好適な実施例の説明
図示されたフィルター１０は輪状側壁１４と底壁１６を有するハウジング１２を含む。出口ポート１７は側壁１４とともに内部室１８を画成する底壁１６内に位置する。側壁１４は内部室１８への開口２０を形成しており、支持部を形成する上方平縁部２２によって画成されている。ハウジングの開口２０にはふたすなわちカバー２４がまたがっている。カバー２４の内面２６は平らすなわち平面であり、下向きの輪状のふち２８の外周縁まで延在する。入り口ポート３０はカバー２４内に形成される。カバー２４はピボットアーム３２によってハウジング１２に結合される。ピボットアーム３２は、ハウジング側壁１４に結合されるバスケット３６に、取り付けられたピボット管３４により一方端で枢着されている。ピボットアーム３２の他方端はカバー２４に３７で結合されている。管３４はフィルター１０を通る液体を受け入れるために端３５で開口しており、アーム３２に固定されている。ピボットアーム３２は、管３４の内部からカバー２４内の入り口ポート３０に亘る内孔３１を有する。アーム３２は枢軸で回転するので、管３４はバスケット３６内で回転する。管３４とバスケット３６間の液漏れはリングシール３９によって防止される。液体は管開端３５に入り、アーム孔３１を通り、カバー内の入り口ポート３０を通ってハウジング内部室１８に入る。
【００１７】
ピボットアーム３２によってカバー２４は、図示された閉位置と、フィルターバッグ４８とバスケット６２の取り換えまたはクリーニングを行えるようにカバーがハウジング１２から持ち上げられる開位置との間を移動させられる。カバー２４はクランプ３８によってハウジング開口２０上の閉位置に固定される。クランプ３８は弓形支持部４２によって保持された回転ボルト４０を含んでおり、弓形支持部４２はハウジング１２に枢着されている。回転ボルト４０がそのハンドル４１によって回転させられる時、回転ボルト４０はカバー結合部３７にあるピボットアーム３２に接触させられ、カバーをその肩部２７でハウジングの上方端縁２２に接触させることができる。弓支持部４２は、回転ボルト４０が緩められカバーから離される時、カバー２４から離れるように枢動される。こうして、カバーはピボットアーム３２により持ち上げられ上昇位置に支持される。
【００１８】
フィルターバッグ４８は、プラスチック繊維、絹または綿のような柔軟で液体を通さない材料で形成される壁部５０を含んでいる。さらに、バッグ４８はナイロンまたはポリプロピレンのような可撓性形状を保持する材料で形成されたリング部すなわち縁部５２を含んでいる。バッグリング５２はバッグ内への開口を形成し、縫製または熱シーリングのようなものによって壁部５０に取り付けられる。また、リング５２は並置された輪状ビード５６内で終わる外向きフランジ５４を含んでいる。ビード５６は三角形横断面であるのが好適である。また、フランジ５４はビード５６から内方に間隔がおかれた輪状リブ５８を含んでいる。バッグ４８は、ハウジング１２からバッグを取り去る際の助けとなる一対の引っ張りつまみ５５を含んでいる。バスケット６２はハウジング１２の内部室１８内に位置し、フランジ６４を含んでいる。フランジ６４は外向きであり、ハウジング縁２２内にかかることによりフィルターハウジング内のバスケットを支持する。バスケット６２は堅く形状が保持される構造であり、網目のある形状である。
【００１９】
バッグ４８は、そのフランジ５４をバスケットフランジ６４およびハウジング１２の端縁２２上に置き、バスケット６２内にはめ合わされる。ビード５６はリブ５８と一緒のバスケットフランジ６４から外方にある距離離れた位置で縁２２に接触し、バッグフランジ５４はバスケットフランジ６４に接触してバスケットをハウジング端縁２２に固定する。カバー２４の内面２６はバッグリングのビード５６上にあり、接触している。回転ボルト４０が回転されてカバー４２をハウジング１２に向け下方に動かすので、ビード５６はカバー内面２６とハウジング１２の端縁２２内間で圧縮されカバーとハウジング間のシールを形成する。カバー２４は、カバーの肩部２７が圧縮されたビードに隣接するハウジング端縁に接触するまで、回転ボルト４０によってハウジング端縁２２に向けて動かされる。こういうふうにして、カバー２４はカバーとハウジング間のシールを形成するために如何なるシーリングリングを保持する必要はない。この発明において、このシールはフィルターバッグによって提供される。
【００２０】
この発明は上述の詳細構成に限定されることなく、クレームの範囲内で変更可能である。
【００２１】
【発明の効果】
以上、詳述した如く、本発明に関わる液体フィルターは、内部でフィルターバックがカバーとフィルターハウジング間の唯一の液体シールを供給する。
【００２２】
また、液体フィルターは、液体シール部を有しないカバーをもつ。
【図面の簡単な説明】
【図１】説明を分かりやすくするため一部断面で示すこの発明の液体フィルターの側面図である。
【図２】図１の側部から見たフィルターの部分断面図である。
【図３】フィルターの頂面図である。
【図４】図１に示されたフィルターに使用されたフィルターバッグのリングすなわち縁部の横断面図である。
【図５】図４のバッグリングすなわち縁部の部分拡大図である。
【図６】バッグリングすなわち縁部の頂面図である。
【符号の説明】
１０…液体フィルター、
１２…ハウジング、
１７…出口ポート、
１８…室、
２０…ハウジング開口、
２２…ハウジング支持部、
２４…カバー、
３０…入り口ポート、
４８…フィルターバッグ、
５２…バッグリング、
５４…外向き輪状フランジ、
５６…輪状ビード、第２の輪状ビード
５８…輪状リブ、
６２…バスケット、
６４…バスケットフランジ。
【図１】
0004382340.tif 000002
【図２】
0004382340.tif 000003
【図３】
0004382340.tif 000004
【図４】
0004382340.tif 000005
【図５】
0004382340.tif 000006
【図６】
0004382340.tif 000007